(57)【要約】【課題】多数の突起を点在形成してなる凹凸面を室内側に備える防水面材が外壁下張材の屋外側に留め付けられた外装構造において、防水面材の突起間空隙によって外壁下張材の屋外側に形成された通気空間に確実に外気を導入できる通気水切材及び通気水切構造を提案する。【解決手段】背面が外壁下張材１に密着し下辺が基礎Ｂの上面に当接して配置される板状の防水裏挿入部１１と、その下辺から基礎Ｂの上面に沿って前方に突出する支持板部１２と、これから前下方に突出する水切板部１３と、防水裏挿入部１１の下辺よりも上方において該防水裏挿入部から前下方に突出する斜め板部１５と、これから支持板部１２と離隔して前方に突出する外装受け板部１６とを備え、外壁内部の通気空間Ａに外気を導入するための外気導入孔１５ａが斜め板部１５に穿設された通気水切材１０とした。【選択図】　図２
2004044230.tif 000002
【特許請求の範囲】
【請求項１】
背面が外壁下張材に密着し下辺が基礎の上面に当接して配置される板状の防水裏挿入部と、この防水裏挿入部の下辺から前記基礎の上面に沿って前方に突出する支持板部と、この支持板部から前下方に突出する水切板部と、前記防水裏挿入部の下辺よりも上方において該防水裏挿入部から前下方に突出する斜め板部と、この斜め板部から前記支持板部と離隔して前方に突出する外装受け板部とを備え、外壁内部の通気空間に外気を導入するための外気導入孔が前記斜め板部に穿設されてなる、ことを特徴とする通気水切材。
【請求項２】
床下空間に外気を導入するための外気導入孔が前記防水裏挿入部に穿設されてなることを特徴とする請求項１に記載の通気水切材。
【請求項３】
前記水切板部から下方に突出する垂下板部を備えることを特徴とする請求項１又は請求項２に記載の通気水切材。
【請求項４】
一枚の板を折り曲げることにより全体が形成されていることを特徴とする請求項１乃至請求項３のいずれか一項に記載の通気水切材。
【請求項５】
多数の突起を点在形成してなる凹凸面を室内側に備える防水面材が外壁下張材の屋外側面に留め付けられ、この防水面材の屋外側に外装材が取り付けられ、
請求項１乃至請求項４のいずれか一項に記載の通気水切材の支持板部が基礎の上面に密着するとともに該通気水切材の防水裏挿入部が前記外壁下張材の屋外側面に密着して配置され、
前記防水面材の下辺部が、前記通気水切材の斜め板部の外気導入孔に上から被さるように該通気水切材の防水裏挿入部及び斜め板部の外側面に沿って配置されている、
ことを特徴とする通気水切構造。
【請求項６】
外壁下張材の屋外側面に防水紙が留め付けられ、この防水紙を介して前記外壁下張材に複数本の縦胴縁が固定され、これら縦胴縁に外装材が取り付けられ、
請求項１乃至請求項４のいずれか一項に記載の通気水切材の支持板部が基礎の上面に密着するとともに該通気水切材の防水裏挿入部が前記外壁下張材の屋外側面に密着して配置され、
前記防水紙の下辺部が、前記通気水切材の斜め板部の外気導入孔に被さらないように該通気水切材の防水裏挿入部の外側面に沿って配置されている、
ことを特徴とする通気水切構造。
【請求項７】
外壁下張材の屋外側面との間に隙間をあけて該外壁下張材に沿って立設される板状の防水裏挿入部と、この防水裏挿入部よりも下方において基礎の上面に沿って前方に突出する支持板部と、この支持板部から前下方に突出する水切板部と、前記支持板部と離隔して前記防水裏挿入部の下辺から前方に突出する外装受け板部と、前記外装受け板部と前記支持板部との間から前記防水裏挿入部と前記外壁下張材の間の隙間に外気を導入する第一外気導入孔と、前記隙間からその上方空間へ外気を導入する第二外気導入孔と、を備えることを特徴とする通気水切材。
【請求項８】
前記防水裏挿入部の下方に、床下空間に外気を導入するための第三外気導入孔を設けてなることを特徴とする請求項７に記載の通気水切材。
【請求項９】
前記水切板部から下方に突出する垂下板部を備えることを特徴とする請求項７又は請求項８に記載の通気水切材。
【請求項１０】
一枚の板を折り曲げることにより全体が形成されていることを特徴とする請求項７乃至請求項９のいずれか一項に記載の通気水切材。
【請求項１１】
多数の突起を点在形成してなる凹凸面を室内側に備える防水面材が外壁下張材の屋外側面に留め付けられ、この防水面材の屋外側に外装材が取り付けられ、
請求項７乃至請求項１０のいずれか一項に記載の通気水切材の支持板部が基礎の上面に密着するとともに該通気水切材の防水裏挿入部が前記外壁下張材の屋外側面との間に隙間をあけて該外壁下張材に沿って立設固定され、
前記防水面材の下辺部が、前記通気水切材の防水裏挿入部の外側面に沿って配置されている、
ことを特徴とする通気水切構造。
【請求項１２】
多数の突起を点在形成してなる凹凸面を室内側に備える防水面材が外壁下張材の屋外側面に留め付けられ、この防水面材の屋外側に外装材が取り付けられ、
板状の防水裏挿入部と、この防水裏挿入部の下方で前下方に突出する水切板部と、を備える通気水切材が、前記防水裏挿入部の背面が前記外壁下張材の屋外側面に密着するように配置され、
前記防水面材の下辺部が前記通気水切材の防水裏挿入部の外側面に沿って配置され、
前記外装材の下端部を支持する外装受け板部と、この外装受け板部から立設する背面板部と、先端辺が前記背面板部よりも後方で前記外装受け板部よりも下方に位置するように前記外装受け板部から突出する位置決め部と、この位置決め部に穿設された外気導入孔と、を備える外装ビードが、前記位置決め部の先端辺が前記通気水切材の防水裏挿入部の下部に形成される入隅部に位置するとともに前記背面板部が前記通気水切材の防水裏挿入部との間に前記防水面材の下辺部を挟み込むように配置されている、
ことを特徴とする通気水切構造。
【請求項１３】
前記通気水切材の水切板部の元端辺が基礎に当接し、前記水切板部から下方に垂下板部が突出していることを特徴とする請求項１２に記載の通気水切構造。
【請求項１４】
前記通気水切材の防水裏挿入部に、床下空間に外気を導入するための外気導入孔が穿設され、前記基礎の上面に並べられた基礎パッキン間の隙間と該外気導入孔を経由して床下空間に外気が導入される、ことを特徴とする請求項１３に記載の通気水切構造。
【請求項１５】
多数の突起を点在形成してなる凹凸面を室内側に備える第一の防水面材が外壁下張材の屋外側面に留め付けられ、この第一の防水面材の屋外側に外装材が取り付けられ、
多数の突起を点在形成してなる凹凸面を室内側に備える第二の防水面材が前記外壁下張材の下部においてその屋外側面に留め付けられ、
板状の防水裏挿入部と、この防水裏挿入部の下方で前下方に突出する水切板部とを備える通気水切材が、前記防水裏挿入部の背面が前記第二の防水面材の屋外側面に密着するように配置され、
前記第一の防水面材の下辺部が、前記通気水切材の防水裏挿入部の外側面に沿って配置されている、
ことを特徴とする通気水切構造。
【請求項１６】
水平方向に互いに隙間をあけて基礎の上面に複数個の基礎パッキンが並べられ、前記隙間を含めて前記基礎パッキンの屋外側に外気導入孔付き防鼠材が配置されている、ことを特徴とする請求項１５に記載の通気水切構造。
【発明の詳細な説明】
【０００１】
【発明の属する技術分野】
本発明は、建築物の外壁下部に配置されて水切りを行うとともに外壁内部及び床下空間の通気を行う通気水切材に関し、また、この通気水切材を用いた建築物の通気水切構造に関する。
【０００２】
【従来の技術】
特開平１１−２１０１００号公報に開示された通気水切構造は、図１１に示すように、建築物の外壁の下端部に通気水切材６０を設けることにより、外壁内部に結露やカビが発生することを防止するものである。この通気水切材６０は、防蝕加工が施された断面略コ字形の部材であって、その上方片６１の前方部に外装材たるセメントモルタル３を立設載置すると共に、その下方片６２を基礎Ｂ上に載置して、セメントモルタル３を支持しつつその下端部に沿って延長配置されている。また、上方片６１の後方部には上方通気孔６３が、側方片６４には側方通気孔６５が、外装材の延長方向に所定間隔をおいて横方向に各々複数開口形成されていて、上方通気孔６３を介して外装材背後の通気空間Ａに、側方通気孔６５を介して床下空間Ｙに、各々外気が導入される。側方通気孔６５は、床下空間Ｙにネズミ等の小動物が侵入することを防ぐ防鼠材としての機能も兼ね備えている。さらに、上方片６１の下面側には、水切片６６が下方に突出配置されていて、外装材の表面を流下する雨水等の水が、上方片６１の下面を伝って各通気孔６３，６５から通気空間Ａや床下空間Ｙに侵入することを防止する。
【０００３】
一方、特開２００１−２０４１６公報には、防水性に優れ、外壁の内部結露を有効に防止できるだけでなく、部材数が少なく簡易な納まりで、外部部品の取付けやタッカー孔等によっても防水機能が損なわれず、湿式の外装材の塗り厚の不均衡に起因するクラックの発生も抑えることができる外装構造が開示されている。
この外装構造は、図１２に示すように、タッカー針や釘等の留付手段によって外壁下張材１の屋外側面に留め付けられた防水面材２と、この防水面材２の屋外側面から留付手段によって外壁下張材１に留め付けられたラス３ａと、このラス３ａを塗り下地として塗り付けられた外装材たるセメントモルタル３とからなるものである。
【０００４】
ここで、防水面材２は釘孔シール性を付与するためのアスファルトコンパウンド層を含んでおり、また、多数の突起２ｄ，２ｄ，…を点在形成してなる凹凸面２ｅ（図１３参照）を室内側に備えたものである。なお、図１３に示すように、防水面材２の層構成のパターンは四種類ある。つまり、図１３（ａ）に示す防水面材２Ａは、屋外側から順に基層２ａ、アスファルトコンパウンド層２ｂ、表層２ｃを積層した三層構造となっており、表層２ｃの室内側に点在する多数の突起２ｄ，２ｄ，…が凹凸面２ｅを形成している。図１３（ｂ）に示す防水面材２Ｂは、屋外側から順に基層２ａ、アスファルトコンパウンド層２ｂを積層した二層構造となっており、アスファルトコンパウンド層２ｂの室内側に点在する多数の突起２ｄ，２ｄ，…が凹凸面２ｅを形成している。図１３（ｃ）に示す防水面材２Ｃは、屋外側から順にアスファルトコンパウンド層２ｂ、表層２ｃを積層した二層構造となっており、表層２ｃの室内側に点在する多数の突起２ｄ，２ｄ，…が凹凸面２ｅを形成している。図１３（ｄ）に示す防水面材２Ｄは、アスファルトコンパウンド層２ｂのみの一層構造となっており、アスファルトコンパウンド層２ｂの室内側に点在する多数の突起２ｄ，２ｄ，…が凹凸面２ｅを形成している。
そして、防水面材２の突起２ｄ，２ｄ，…は、セメントモルタル３の塗り付け施工時のコテ圧や付梁その他の外部部品の取付圧力で潰れることのない程度の強度を有する。
【０００５】
したがって、この外装構造では、防水面材２の突起２ｄ，２ｄ，…間の空隙によって外壁下張材１の屋外側面に連続した通気空間を確実に形成して外壁の内部結露を有効に防止することができるようになっている。
また、防水面材２はタッカー針や釘等の留付手段によって外壁下張材１に留め付けられ、ラス３ａは防水面材２を貫通するように留付手段によって外壁下張材１に留め付けられているが、防水面材２には極めて高いコールドフロー性と粘弾性を有するアスファルトコンパウンド層２ｂが含まれているので、防水面材２は留付手段によってあいた孔を自ら塞いで修復する機能（釘孔シール性能）を有し、防水性能が維持されるようになっている。
【０００６】
【発明が解決しようとする課題】
ところで、このような防水面材２を用いた外装構造では、防水面材２の突起２ｄ，２ｄ，…によって外壁下張材１の屋外側に形成される通気空間が、当然にどこかで外気に連通している必要があるが、その手法は、同公報を含めていかなる先行技術文献にも開示されていない。そこで、図１１の通気水切材６０を転用することも考えられるが、この通気水切材６０はあくまでも、縦胴縁等によって外装材の背後に形成された通気空間Ａに外気を導入するものであるので、図１２ないし図１３に示す外装構造における防水面材２の突起２ｄ，２ｄ，…間の空隙によって外壁下張材１の屋外側に形成された通気空間に外気を導入することは到底不可能である。
【０００７】
また、図１１に示した通気水切材６０は、蟻等の虫が基礎Ｂの外周面を伝って上り、側方通気孔６５や上方通気孔６３を通って床下空間Ｙや外壁内部の通気空間Ａに侵入してしまうことを阻止することができない。
【０００８】
本発明はこのような事情に鑑みてなされたものであって、特に、多数の突起を点在形成してなる凹凸面を室内側に備える防水面材が外壁下張材の屋外側に留め付けられた外装構造において、防水面材の突起間空隙によって外壁下張材の屋外側に形成された通気空間に確実に外気を導入することを主要な目的とした通気水切材と、この通気水切材を活用した建築物の通気水切構造を提案するものである。
【０００９】
【課題を解決するための手段】
請求項１に係る発明は、背面が外壁下張材に密着し下辺が基礎の上面に当接して配置される板状の防水裏挿入部と、この防水裏挿入部の下辺から前記基礎の上面に沿って前方に突出する支持板部と、この支持板部から前下方に突出する水切板部と、前記防水裏挿入部の下辺よりも上方において該防水裏挿入部から前下方に突出する斜め板部と、この斜め板部から前記支持板部と離隔して前方に突出する外装受け板部とを備え、外壁内部の通気空間に外気を導入するための外気導入孔が前記斜め板部に穿設されてなる、ことを特徴とする通気水切材である。
【００１０】
かかる通気水切材は、多数の突起を点在形成してなる凹凸面を室内側に備える防水面材が外壁下張材の屋外側面に留め付けられた外装構造（図１２参照）や、外壁下張材の屋外側面に防水紙が留め付けられ、この防水紙を介して所定間隔で外壁下張材に縦胴縁が固定された外装構造（図１１参照）に装着されるものであって、外壁下張材の下端部に配置されて、外壁内部の通気と外壁表面を流れる雨水等の水切を行う部材である。
つまり、外装受け板部と支持板部との隙間から斜め板部の外気導入孔に至った外気は、外壁内部の通気空間に導入され、外壁の内部結露を防止する。また、外装材表面を流下した雨水は通気水切材の水切板部上に落ち、この水切板部の外側面を伝って下方に滴下するので、基礎の外側面を濡らすことがない。なお、外装受け板部は、外装材を支持するとともに、モルタル等の湿式の外装材の塗り付けの際の定規となる。
【００１１】
請求項２に係る発明は、請求項１に記載の通気水切材において、床下空間に外気を導入するための外気導入孔が前記防水裏挿入部に穿設されてなることを特徴とする。
【００１２】
かかる通気水切材は、防水裏挿入部に外気導入孔が穿設されているので、支持板部を基礎の上面に当接させて配置したときに、基礎の上面に並べられた基礎パッキン間の隙間を経由して、床下空間に外気を導入し換気することができる。もちろん、この外気導入孔は、ネズミ等の小動物が侵入しない大きさとすることが望ましい。
【００１３】
請求項３に係る発明は、請求項１又は請求項２に記載の通気水切材において、水切板部から下方に突出する垂下板部を備えることを特徴とする。
【００１４】
かかる通気水切材は、支持板部が基礎の上面に密着するように配置されたときに、水切板部とその下方に突出する垂下板部とがいわゆる蟻返しとして機能するので、基礎の外側面を伝って上ってくる蟻等の虫が外気導入孔等から外壁内部の通気空間や床下空間に侵入することを確実に阻止することができる。
【００１５】
請求項４に係る発明は、請求項１乃至請求項３のいずれか一項に記載の通気水切材において、一枚の板を折り曲げることにより全体が形成されていることを特徴とする。
【００１６】
かかる通気水切材は、一枚の板を折り曲げることにより全体が形成されているので、低コストで容易に製造可能である。
【００１７】
請求項５に係る発明は、多数の突起を点在形成してなる凹凸面を室内側に備える防水面材が外壁下張材の屋外側面に留め付けられ、この防水面材の屋外側に外装材が取り付けられ、請求項１乃至請求項４のいずれか一項に記載の通気水切材の支持板部が基礎の上面に密着するとともに該通気水切材の防水裏挿入部が前記外壁下張材の屋外側面に密着して配置され、前記防水面材の下辺部が、前記通気水切材の斜め板部の外気導入孔に上から被さるように該通気水切材の防水裏挿入部及び斜め板部の外側面に沿って配置されている、ことを特徴とする通気水切構造である。
【００１８】
かかる通気水切構造は、多数の突起を点在形成してなる凹凸面を室内側に備える防水面材が外壁下張材の屋外側に留め付けられた外装構造（図１２参照）に、上述の通気水切材を装着したものである。
つまり、通気水切材の斜め板部の外気導入孔に防水面材の下辺部が覆い被さるように、防水面材が通気水切材の防水裏挿入部及び斜め板部の外側面に沿って配置されているので、通気水切材の外装受け板部と支持板部との隙間から斜め板部の外気導入孔に至った外気は、防水面材の突起間空隙によって外壁下張材の屋外側に形成されている通気空間に導入され、外壁の内部結露を防止する。このとき、防水面材が通気水切材の斜め板部の外気導入孔を覆っているので、防水面材の屋外側に塗り付けられるセメントモルタル等の湿式の外装材がこの外気導入孔から脱落することはない。
また、外装材表面を流下した雨水は通気水切材の水切板部上に落ち、この水切板部の外側面を伝って下方に滴下するので、基礎の外側面を濡らすことがない。なお、外装受け板部は、外装材を支持するとともに、モルタル等の湿式の外装材の塗り付けの際の定規となる。
【００１９】
請求項６に係る発明は、外壁下張材の屋外側面に防水紙が留め付けられ、この防水紙を介して前記外壁下張材に複数本の縦胴縁が固定され、これら縦胴縁に外装材が取り付けられ、請求項１乃至請求項４のいずれか一項に記載の通気水切材の支持板部が基礎の上面に密着するとともに該通気水切材の防水裏挿入部が前記外壁下張材の屋外側面に密着して配置され、前記防水紙の下辺部が、前記通気水切材の斜め板部の外気導入孔に被さらないように該通気水切材の防水裏挿入部の外側面に沿って配置されている、ことを特徴とする通気水切構造である。
【００２０】
かかる通気水切構造は、外壁下張材の屋外側に複数本の縦胴縁を固定することにより外壁内部に通気空間を形成した外装構造（図１１参照）に、上述の通気水切材を装着したものである。
つまり、通気水切材の斜め板部の外気導入孔に防水紙の下辺部が覆い被さらないように、通気水切材の防水裏挿入部の外側面に沿って防水紙が配置されているので、通気水切材の外装受け板部と支持板部との隙間から斜め板部の外気導入孔に至った外気は、縦胴縁によって形成されている外壁内部の通気空間に導入され、外壁の内部結露を防止する。なお、通気水切材の斜め板部の外気導入孔は防水紙等で覆われてはいないが、その上部には縦胴縁があってその外側に外装材が配置されているので、セメントモルタル等の湿式の外装材がこの外気導入孔から脱落することはない。
また、外装材表面を流下した雨水は通気水切材の水切板部上に落ち、この水切板部の外側面を伝って下方に滴下するので、基礎の外側面を濡らすことがない。なお、外装受け板部は、外装材を支持するとともに、モルタル等の湿式の外装材の塗り付けの際の定規となる。
【００２１】
請求項７に係る発明は、外壁下張材の屋外側面との間に隙間をあけて該外壁下張材に沿って立設される板状の防水裏挿入部と、この防水裏挿入部よりも下方において基礎の上面に沿って前方に突出する支持板部と、この支持板部から前下方に突出する水切板部と、前記支持板部と離隔して前記防水裏挿入部の下辺から前方に突出する外装受け板部と、前記外装受け板部と前記支持板部との間から前記防水裏挿入部と前記外壁下張材の間の隙間に外気を導入する第一外気導入孔と、前記隙間からその上方空間へ外気を導入する第二外気導入孔と、を備えることを特徴とする通気水切材である。
【００２２】
かかる通気水切材は、多数の突起を点在形成してなる凹凸面を室内側に備える防水面材が外壁下張材の屋外側面に留め付けられた外装構造（図１２参照）に装着されるものであって、外壁下張材の下端部に配置されて、外壁内部の通気と外壁表面を流れる雨水等の水切を行う部材である。
つまり、外装受け板部と支持板部との間から第一外気導入孔に至った外気は、防水裏挿入部の背後（防水裏挿入部と外壁下張材との間）の隙間に取り入れられ、さらに第二外気導入孔を経由して、防水面材の突起間空隙によって外壁下張材の屋外側に形成されている通気空間に導入され、外壁の内部結露を防止する。また、外装材表面を流下した雨水は通気水切材の水切板部上に落ち、この水切板部の外側面を伝って下方に滴下するので、基礎の外側面を濡らすことがない。なお、通気水切材の外装受け板部は、外装材を支持するとともに、セメントモルタル等の湿式の外装材の塗り付けの際の定規となる。
【００２３】
請求項８に係る発明は、請求項７に記載の通気水切材において、防水裏挿入部の下方に、床下空間に外気を導入するための第三外気導入孔を設けてなることを特徴とする。
【００２４】
かかる通気水切材は、防水裏挿入部の下方に第三外気導入孔が設けられているので、支持板部を基礎の上面に密着させるようにして配置したときに、基礎の上面に並べられた基礎パッキン間の隙間を経由して、床下空間に外気を導入し換気することができる。もちろん、この第三外気導入孔は、ネズミ等の小動物が侵入しない大きさとすることが望ましい。第三外気導入孔は第一導入孔と一体に形成されていてもよい。
【００２５】
請求項９に係る発明は、請求項７又は請求項８に記載の通気水切材において、水切板部から下方に突出する垂下板部を備えることを特徴とする。
【００２６】
かかる通気水切材は、支持板部が基礎の上面に密着するように配置されたときに、水切板部とその下方に突出する垂下板部とがいわゆる蟻返しとして機能するので、基礎の外側面を伝って上ってくる蟻等の虫が外気導入孔等から外壁内部の通気空間や床下空間に侵入することを確実に阻止することができる。
【００２７】
請求項１０に係る発明は、請求項７乃至請求項９のいずれか一項に記載の通気水切材において、一枚の板を折り曲げることにより全体が形成されていることを特徴とする。
【００２８】
かかる通気水切材は、一枚の板を折り曲げることにより全体が形成されているので、低コストで容易に製造可能である。
【００２９】
請求項１１に係る発明は、多数の突起を点在形成してなる凹凸面を室内側に備える防水面材が外壁下張材の屋外側面に留め付けられ、この防水面材の屋外側に外装材が取り付けられ、請求項７乃至請求項１０のいずれか一項に記載の通気水切材の支持板部が基礎の上面に密着するとともに該通気水切材の防水裏挿入部が前記外壁下張材の屋外側面との間に隙間をあけて該外壁下張材に沿って立設固定され、前記防水面材の下辺部が、前記通気水切材の防水裏挿入部の外側面に沿って配置されている、ことを特徴とする通気水切構造である。
【００３０】
かかる通気水切構造は、多数の突起を点在形成してなる凹凸面を室内側に備える防水面材が外壁下張材の屋外側に留め付けられた外装構造（図１２参照）に、上述の通気水切材を装着したものである。
つまり、防水面材が通気水切材の防水裏挿入部の外側面に沿って配置されているので、通気水切材の外装受け板部と支持板部との間から第一外気導入孔に至った外気は、防水裏挿入部の背面（防水裏挿入部と外壁下張材との間）の隙間に取り入れられ、さらに第二外気導入孔を経由して、防水面材の突起間空隙によって外壁下張材の屋外側に形成されている通気空間に導入され、外壁の内部結露を防止する。
また、外装材表面を流下した雨水は通気水切材の水切板部上に落ち、この水切板部の外側面を伝って下方に滴下するので、基礎の外側面を濡らすことがない。なお、通気水切材の外装受け板部は、外装材を支持するとともに、この外装材がモルタル等の湿式のものである場合にその塗り付けの際の定規となっている。
【００３１】
請求項１２に係る発明は、多数の突起を点在形成してなる凹凸面を室内側に備える防水面材が外壁下張材の屋外側面に留め付けられ、この防水面材の屋外側に外装材が取り付けられ、板状の防水裏挿入部と、この防水裏挿入部の下方で前下方に突出する水切板部と、を備える通気水切材が、前記防水裏挿入部の背面が前記外壁下張材の屋外側面に密着するように配置され、前記防水面材の下辺部が前記通気水切材の防水裏挿入部の外側面に沿って配置され、前記外装材の下端部を支持する外装受け板部と、この外装受け板部から立設する背面板部と、先端辺が前記背面板部よりも後方で前記外装受け板部よりも下方に位置するように前記外装受け板部から突出する位置決め部と、この位置決め部に穿設された外気導入孔と、を備える外装ビードが、前記位置決め部の先端辺が前記通気水切材の防水裏挿入部の下部に形成される入隅部に位置するとともに前記背面板部が前記通気水切材の防水裏挿入部との間に前記防水面材の下辺部を挟み込むように配置されている、ことを特徴とする通気水切構造である。
【００３２】
かかる通気水切構造は、多数の突起を点在形成してなる凹凸面を室内側に備える防水面材が外壁下張材の屋外側に留め付けられた外装構造（図１２参照）に、従来同様の通気水切材と外装ビードを装着したものである。ここには、土台の外側に通気水切材と外装ビードを装着する場合だけでなく、バルコニー床と外壁とで形成される入隅部や、下屋とその上階の外壁によって形成される入隅部に通気水切材と外装ビードを装着する場合も含まれる。
つまり、通気水切材の防水裏挿入部と外装ビードの背面板部との間に防水面材の下辺部が挟み込まれるように配置されているので、外装ビードの位置決め部の外気導入孔から防水面材の突起間空隙によって外壁下張材の屋外側に形成されている通気空間に外気が導入され、外壁の内部結露を防止する。
また、外装材表面を流下した雨水は通気水切材の水切板部上に落ち、この水切板部の外側面を伝って下方に滴下し、水切される。
なお、外装ビードの外装受け板部は、外装材を支持するとともに、この外装材がモルタル等の湿式のものである場合にその塗り付けの際の定規となっている。
【００３３】
請求項１３に係る発明は、請求項１２に記載の通気水切構造において、通気水切材の水切板部の元端辺が基礎に当接し、水切板部から下方に垂下板部が突出していることを特徴とする。
【００３４】
かかる通気水切構造は、特に土台の外側に通気水切材を配置する場合において、通気水切材の水切板部の元端が基礎に当接しているので、通気水切材の水切板部及びここから下方に突出する垂下板部によって蟻返しが形成され、基礎の外側面を伝って上ってくる蟻等の虫が外気導入孔等から外壁内部に侵入することを確実に阻止することができる。
【００３５】
請求項１４に係る発明は、請求項１３に記載の通気水切構造において、通気水切材の防水裏挿入部に、床下空間に外気を導入するための外気導入孔が穿設され、基礎の上面に並べられた基礎パッキン間の隙間と該外気導入孔を経由して床下空間に外気が導入される、ことを特徴とする。
【００３６】
かかる通気水切構造は、外装ビードの位置決め板部のみならず、通気水切材の防水裏挿入部にも外気導入孔が穿設されているので、これら二つの外気導入孔によって床下空間にも外気を導入し換気を行うことができる。
【００３７】
請求項１５に係る発明は、多数の突起を点在形成してなる凹凸面を室内側に備える第一の防水面材が外壁下張材の屋外側面に留め付けられ、この第一の防水面材の屋外側に外装材が取り付けられ、多数の突起を点在形成してなる凹凸面を室内側に備える第二の防水面材が前記外壁下張材の下部においてその屋外側面に留め付けられ、板状の防水裏挿入部と、この防水裏挿入部の下方で前下方に突出する水切板部とを備える通気水切材が、前記防水裏挿入部の背面が前記第二の防水面材の屋外側面に密着するように配置され、前記第一の防水面材の下辺部が、前記通気水切材の防水裏挿入部の外側面に沿って配置されている、ことを特徴とする通気水切構造である。
【００３８】
かかる通気水切構造は、多数の突起を点在形成してなる凹凸面を室内側に備える防水面材が外壁下張材の屋外側に留め付けられた外装構造（図１２参照）に、従来同様の通気水切材を装着したものである。ここには、土台の外側に通気水切材を装着する場合だけでなく、バルコニー床と外壁とで形成される入隅部や、下屋とその上階の外壁によって形成される入隅部に通気水切材を装着する場合も含まれる。
つまり、外壁下張材の屋外側面に、第二の防水面材、通気水切材の防水裏挿入部、第一の防水面材の下辺部が順に重ねて配置されているので、第二の防水面材の突起間空隙から取り入れられた外気が、その上方において第一の防水面材の突起間空隙によって外壁下張材の屋外側に形成されている通気空間に導入され、外壁の内部結露を防止する。
また、外装材表面を流下した雨水は通気水切材の水切板部上に落ち、この水切板部の外側面を伝って下方に滴下し、水切される。
【００３９】
請求項１６に係る発明は、請求項１５に記載の通気水切構造において、水平方向に互いに隙間をあけて基礎の上面に基礎パッキンが並べられ、前記隙間を含めて前記基礎パッキンの屋外側に外気導入孔付き防鼠材が配置されている、ことを特徴とする。
【００４０】
かかる通気構造は、基礎の上面に基礎パッキンが並べられ、これら基礎パッキン及びその隙間の屋外側に外気導入孔付き防鼠材が配置されているので、床下空間へのネズミ等の小動物の侵入を阻止しつつ、床下空間への外気の導入による床下空間の換気を行うことができる。
【００４１】
【発明の実施の形態】
以下、添付図面を参照して、本発明の実施の形態を詳細に説明する。なお、説明において、同一要素には同一符号を用い、重複する説明は省略する。
【００４２】
図１は、本発明に係る通気水切材の第一実施形態を表す斜視図である。この通気水切材１０は、防蝕処理を施した一枚の鉄板を折り曲げ加工したものであって、同図に示すように、防水裏挿入部１１と、支持板部１２と、水切板部１３と、垂下板部１４と、斜め板部１５と、外装受け板部１６とで構成されている。
図２にも示すように、防水裏挿入部１１は、その背面が外壁下張材１に密着するとともにその下辺が基礎Ｂの上面に当接して配置される。支持板部１２は、防水裏挿入部１１の下辺から前方に突出し、基礎Ｂの上面に沿って密着して配置される。水切板部１３は支持板部１２の先端辺から前下方に突出しており、水切板部１３の先端辺からは垂下板部１４が下方に突出している。水切板部１３及び垂下板部１４は、支持板部１２が基礎Ｂの上面に密着して配置されることにより、いわゆる蟻返しの役割も果たす。斜め板部１５は、防水裏挿入部１１の下辺よりも上方において該防水裏挿入部１１から前下方に突出し、その先端辺からは外装受け板部１６が前方に突出している。なお、斜め板部１５と支持板部１２との間には、隙間１７が形成されている。
【００４３】
また、斜め板部１５の上部には、防水裏挿入部１１にまたがって、外壁内部の通気空間Ａに外気を導入するための複数個の第一外気導入孔１５ａ，１５ａ，…が穿設形成されている。この第一外気導入孔１５ａは、斜め板部１５だけに穿設形成されていてもよい。
また、防水裏挿入部１１の下部には、床下空間Ｙに外気を導入するための複数個の第二外気導入孔１１ａ，１１ａ，…が穿設形成されている。この第二外気導入孔１１ａ，１１ａ，…は、床下空間Ｙにネズミ等の小動物が侵入しないような大きさであることが望ましい。
【００４４】
なお、ここでは通気水切材１０全体を一枚板の折曲加工によって形成したために、防水裏挿入部１１が上部において内外二枚重ねとなっているが、本発明はこのようなものに限定されるわけではなく、防水裏挿入部１１は全体的にみたときに板状となっていればよい。
また、通気水切材１０は、通常は外壁幅の全長にわたってその下端部に装着されることになるので、その長さは任意に定められる。また、通気水切材１０は、所定長さの一枚の金属製、樹脂製等の板に、予め第一外気導入孔１５ａや第二外気導入孔１１ａ等の必要な孔をあけた後、この板を折り曲げ加工して全体を形成することによって、低コストで容易に製造できるものであるが、本発明はこれに限定されるわけではなく、たとえば全体を押出成形等によって製造してもよい。さらにここでは、垂下板部１４の下辺部が内側に折り返された折り返し部１４ａとして形成されているが、この折り返し部１４ａは板の小口を目立たなくするためのものであり、これをなくしてもよい。
【００４５】
続いて、本発明に係る通気水切構造の第一実施形態を説明する。図２（ａ）は本発明に係る通気水切構造の第一実施形態を表す断面図であり、図２（ｂ）は図２（ａ）の部分拡大図である。これらの図に示す通気水切構造は、多数の突起２ｄ，２ｄ，…を点在形成してなる凹凸面２ｅを室内側に備える防水面材２が外壁下張材１の屋外側に留め付けられた外装構造（図１２参照）に、図１の通気水切材１０を装着してなるものである。
なお、これらの図において、符号Ｋは基礎パッキン、符号Ｄは土台、符号Ｆは一階床板、符号Ｙは床下空間、符号Ｓは一階壁下枠を示している。
【００４６】
これらの図に示すように、通気水切材１０は、防水裏挿入部１１の背面が外壁下張材１に密着しその下辺が基礎Ｂの上面に当接するように配置されている。そして、防水面材２は、その下辺部が通気水切材１０の斜め板部１５の第一外気導入孔１５ａに上から被さるように、通気水切材１０の防水裏挿入部１１及び斜め板部１５の外側面に沿って配置されている。
【００４７】
このような通気水切構造によれば、防水面材２の下辺部が通気水切材１０の斜め板部１５の第一外気導入孔１５ａに上から被さるように配置されているので、防水面材２の屋外側に施工されるセメントモルタル３が第一外気導入孔１５ａからこぼれ落ちることがなく、そして図２（ｂ）に示すように、斜め板部１５と支持板部１２との隙間１７から斜め板部１５の第一外気導入孔１５ａに至った外気は、通気水切材１０の防水裏挿入部１１の外側で防水面材２の突起２ｄ，２ｄ，…間の空隙によって形成された通気空間から外壁下張材１の外側で防水面材２の突起２ｄ，２ｄ，…間の空隙によって形成された通気空間Ａに導入され、外壁の内部結露を防止する。
また、外装材たるセメントモルタル３の表面を流下した雨水は通気水切材１０の水切板部１３上に落ち、この水切板部１３及び垂下板部１４の外側面を伝って下方に滴下するので、基礎Ｂの外側面を濡らすことがない。このとき、水切板部１３がセメントモルタル３と接触していないので、セメントモルタル３が水切板部１３上の雪解水や雨水を吸い上げて劣化することもない。
【００４８】
さらに、基礎Ｂの上面に基礎パッキンＫ，Ｋ，…が並べられ、基礎Ｂと土台Ｄと基礎パッキンＫ，Ｋで囲まれた空間が通気水切材１０の防水裏挿入部１１の下部の第二外気導入孔１１ａと連通しているので、第二外気導入孔１１ａを経由して床下空間Ｙの換気を行うことができる。
さらに、通気水切材１０の支持板部１２が基礎Ｂの上面に沿って密着して配置され、その先端辺から水切板部１３と垂下板部１４が突出していることによって、いわゆる蟻返しが形成されているので、基礎Ｂの外側面を伝って上ってくる蟻等の虫が第二外気導入孔１１ａから床下空間Ｙに侵入したり、第一外気導入孔１５ａから外壁内部の通気空間Ａに侵入することを確実に阻止できる。
なお、外装受け板部１６は、外装材としてのセメントモルタル３を支持するとともに、セメントモルタル３等の湿式の外装材の塗り付けの際の定規ともなるが、外装材は湿式のものに限定されるわけではなく、サイディング等の乾式のものでもよい。
【００４９】
続いて、本発明に係る通気水切構造の第二実施形態を説明する。図３（ａ）は本発明に係る通気水切構造の第二実施形態を表す断面図であり、図３（ｂ）は図３（ａ）の部分拡大図である。これらの図に示す通気水切構造は、外壁下張材１の屋外側面に防水紙５が留め付けられ、この防水紙５を介して水平方向に所定間隔をあけて外壁下張材１に縦胴縁４，４，…が固定され、これらの縦胴縁４，４，…に外装材たるサイディング３’が取り付けられた外装構造に、図１の通気水切材１０を装着してなるものである。
【００５０】
同図に示すように、通気水切材１０は、防水裏挿入部１１の背面が外壁下張材１に密着しその下辺が基礎Ｂの上面に当接するように配置されている。そして、防水紙５は、その下辺部が通気水切材１０の斜め板部１５の第一外気導入孔１５ａに被さらないように、通気水切材１０の防水裏挿入部１１の外側面に沿って配置されている。
【００５１】
したがって、図３（ｂ）に示すように、通気水切材１０の斜め板部１５と支持板部１２との間の隙間１７から斜め板部１５の第一外気導入孔１５ａに至った外気は、縦胴縁４，４，…によって形成されている外壁内部の通気空間Ａに導入され、外壁の内部結露を防止する。なお、通気水切材１０の斜め板部１５の第一外気導入孔１５ａは防水紙５によって覆われていないが、その上部には縦胴縁４，４，…及び通気空間Ａがあってその外側に外装材たるサイディング３’が配置されているので、仮にサイディング３’に代えてセメントモルタル等の湿式の外装材を用いた場合にもこれが第一外気導入孔１５ａからこぼれ落ちることはない。
その他については、図２に示した第一実施形態と同様の作用効果を奏する。
【００５２】
次に、図４を参照しつつ、本発明に係る通気水切材の第二実施形態を説明する。この通気水切材２０は、防蝕処理を施した一枚の鉄板を折り曲げ加工したものであって、同図に示すように、防水裏挿入部２１と、支持板部２２と、水切板部２３と、垂下板部２４と、外装受け板部２５とで構成されている。
図５にも示すように、防水裏挿入部２１は、外壁下張材１の屋外側面との間に僅かな隙間２１ａをあけて該外壁下張材１に沿って立設される。支持板部２２は、防水裏挿入部２１よりも下方において基礎Ｂの上面に沿って前方に突出している。水切板部２３は支持板部２２の先端辺から前下方に突出しており、水切板部２３の先端辺からは垂下板部２４が下方に突出している。水切板部２３及び垂下板部２４は、支持板部２２が基礎Ｂの上面に密着して配置されることにより、いわゆる蟻返しの役割も果たす。外装受け板部２５は、支持板部２２と離隔して防水裏挿入部２１の下辺から前方に突出している。
【００５３】
また、外装受け板部２５の元端には、複数個の第一外気導入孔２５ａが穿設形成されている。この第一外気導入孔２５ａは、防水裏挿入部２１の下方において、隙間２１ａに外気を導入するための役割を果たすものである。
また、防水裏挿入部２１と支持板部２２との間には、板状の立上板部２６が形成されている。この立上板部２６は、防水裏挿入部２１よりもちょうど隙間２１ａの厚みだけ後退した位置に立設されている。そして、立上板部２６には、第一外気導入孔２５ａと一体に、複数個の第三外気導入孔２６ａ，２６ａ，…が穿設形成されている。この外気導入孔２６ａは、床下空間Ｙに外気を導入するための役割を果たすものであり、床下空間Ｙにネズミ等の小動物が侵入しないような大きさであることが望ましい。
さらに、防水裏挿入部２１の上辺は、内側に折り返された折り返し部２１ｂとして形成されている。この折り返し部２１ｂは、外壁下張材１の屋外側面に当接して配置され、立上板部２６と協働して防水裏挿入部２１の背後に隙間２１ａを形成する役割を果たす。そして、防水裏挿入部２１の上部には、折り返し部２１ｂにまたがって、隙間２１ａからその上方空間、つまり防水面材２の突起２ｄ，２ｄ，…間の空隙によって外壁下張材１の屋外側に形成された通気空間Ａに外気を導入するための複数個の第二外気導入孔２１ｃ，２１ｃ，…が穿設形成されている。
なお、第一外気導入孔２５ａ、第二外気導入孔２１ｃ、第三外気導入孔２６ａは、それぞれ上記の役割を果たすものであれば、特にその位置や形状が限定されるものではない。したがって、たとえば一体形成されている第一外気導入孔２５ａと第三外気導入孔２６ａを別々に形成してもよい。
【００５４】
なお、ここでは通気水切材２０全体を一枚板の折曲加工によって形成したために、外装受け板部２５が上下二枚重ねとなっているが、本発明はこのようなものに限定されるわけではなく、外装受け板部２５は全体的にみたときに板状となっていればよい。
また、通気水切材２０は、通常は外壁幅の全長にわたってその下端部に装着されることになるので、その長さは任意に定められる。また、通気水切材２０は、所定長さの一枚の金属製、樹脂製等の板に、予め第一外気導入孔２５ａ、第二外気導入孔２１ｃ、第三外気導入孔２６ａ等の必要な孔をあけた後、この板を折り曲げ加工して全体を形成することによって、低コストで容易に製造されるが、本発明はこれに限定されるわけではなく、たとえば全体を押出成形等によって製造してもよい。
さらにここでは、垂下板部２４の下辺部が内側に折り返された折り返し部２４ａとして形成されているが、この折り返し部２４ａは板の小口が目立たないようにするためのものであり、これをなくしてもよい。
【００５５】
続いて、本発明に係る通気水切構造の第三実施形態を説明する。図５（ａ）は本発明に係る通気水切構造の第三実施形態を表す断面図であり、図５（ｂ）は図５（ａ）の部分拡大図である。これらの図に示す通気水切構造は、多数の突起２ｄ，２ｄ，…を点在形成してなる凹凸面２ｅを室内側に備える防水面材２が外壁下張材１の屋外側に留め付けられた外装構造（図１２参照）に、図４の通気水切材２０を装着してなるものである。
【００５６】
同図に示すように、通気水切材２０は、支持板部２２が基礎Ｂの上面に密着当接するとともに、防水裏挿入部２１が外壁下張材１の屋外側面との間に隙間２１ａをあけた状態で外壁下張材１に沿って立設するように配置されている。そして、防水面材２は、その下辺部が通気水切材２０の防水裏挿入部２１の外側面に沿って配置されている。
【００５７】
このような通気水切構造によれば、図５（ｂ）に示すように、外装受け板部２５と支持板部２２との間から第一外気導入孔２５ａに至った外気が、防水裏挿入部２１の背後（防水裏挿入部２１と外壁下張材１との間）の隙間２１ａに取り入れられ、さらに第二外気導入孔２１ｃを経由して、防水面材２の突起２ｄ，２ｄ，…間空隙によって外壁下張材１の屋外側に形成されている通気空間Ａに導入され、外壁の内部結露を防止する。
また、セメントモルタル３の表面を流下した雨水は通気水切材２０の水切板部２３上に落ち、この水切板部２３及び垂下板部２４の外側面を伝って下方に滴下するので、基礎Ｂの外側面を濡らすことがない。このとき、水切板部２３がセメントモルタル３と接触していないので、セメントモルタル３が水切板部２３上の雪解水や雨水を吸い上げて劣化することもない。
【００５８】
さらに、基礎Ｂの上面に基礎パッキンＫ，Ｋ，…が並べられ、基礎Ｂと土台Ｄと基礎パッキンＫ，Ｋで囲まれた空間が通気水切材２０の下方の第三外気導入孔２６ａと連通しているので、第三外気導入孔２６ａを経由して床下空間Ｙの換気を行うことができる。
さらに、通気水切材２０の支持板部２２が基礎Ｂの上面に沿って密着して配置され、その先端辺から水切板部２３と垂下板部２４が突出していることによって、いわゆる蟻返しが形成されているので、基礎Ｂの外側面を伝って上ってくる蟻等の虫が第三外気導入孔２６ａから床下空間Ｙに侵入したり、第一外気導入孔２５ａや第二外気導入孔２１ｃから外壁内部の通気空間Ａに侵入することを確実に阻止できる。
なお、外装受け板部２５は、外装材としてのセメントモルタル３を支持するとともに、セメントモルタル３等の湿式の外装材の塗り付けの際の定規ともなるが、外装材は湿式のものに限定されるわけではなく、サイディング等の乾式のものでもよい。
【００５９】
次に、本発明に係る通気水切構造の第四実施形態を説明する。図６（ａ）は本発明に係る通気水切構造の第四実施形態を表す断面図であり、図６（ｂ）は図６（ａ）の部分拡大図である。これらの図に示す通気水切構造は、多数の突起２ｄ，２ｄ，…を点在形成してなる凹凸面２ｅを室内側に備える防水面材２が外壁下張材１の屋外側に留め付けられた外装構造（図１２参照）に、図７（ａ）に示す外装ビード４０と図７（ｂ）に示す通気水切材３０を装着してなるものである。ただし、基礎Ｂの上面に基礎パッキンＫ，Ｋ，…は並べられていない。
【００６０】
ここで、通気水切材３０は、防蝕処理を施した一枚の鉄板を折り曲げ加工したものであって、図７（ｂ）に示すように、板状の防水裏挿入部３１と、防水裏挿入部３１の下辺から前方に突出する支持板部３２と、支持板部３２の先端辺から前下方に突出する水切板部３３と、水切板部３３の先端辺から下方に突出する垂下板部３４とを備えている。そして、図６に示すように、通気水切材３０の防水裏挿入部３１は、その背面が外壁下張材１の下部においてその屋外側面に当接するように（土台Ｄの外側の外壁下張材１の屋外側面に当接するように）配置され、通気水切材３０の支持板部３２は、基礎Ｂの上面に密着当接するように（水切板部３３の元端辺が基礎Ｂに当接するように）配置されている。
【００６１】
また、外装ビード４０は、図７（ａ）に示すように、外装材たるセメントモルタル３の下端部を支持する外装受け板部４１と、外装受け板部４１の後端辺から立設する背面板部４２と、先端辺が背面板部４２よりも後方で外装受け板部４１よりも下方に位置するように外装受け板部４１から突出する位置決め部４３とで構成された樹脂製の部材である。ここで、位置決め部４３には複数個の外気導入孔４３ａ，４３ａ，…が穿設形成されており、背面板部４２には複数個の孔４２ａ，４２ａ，…が穿設形成されている。
そして、図６に示すように、外装ビード４０は、位置決め部４３の先端辺が通気水切材３０の防水裏挿入部３１と支持板部３２とで形成される入隅部に位置するとともに、背面板部４２が通気水切材３０の防水裏挿入部３１との間に防水面材２の下辺部を挟み込むようにして配置されている。
【００６２】
このような通気水切構造によれば、図６（ｂ）に示すように、外装ビード４０の位置決め部４３の外気導入孔４３ａから、防水面材２の突起２ｄ，２ｄ，…間空隙によって通気水切材３０の防水裏挿入部３１の外側又は外壁下張材１の屋外側に形成されている通気空間Ａに外気が導入され、外壁の内部結露が確実に防止される。
また、セメントモルタル３の表面を流下した雨水は通気水切材３０の水切板部３３上に落ち、この水切板部３３及び垂下板部３４の外側面を伝って下方に滴下するので、基礎Ｂの外側面を濡らすことがない。このとき、水切板部３３がセメントモルタル３と接触していないので、セメントモルタル３が水切板部３３上の雪解水や雨水を吸い上げて劣化することもない。
さらに、通気水切材３０の支持板部３２が基礎Ｂの上面に沿って密着して配置され、その先端辺から水切板部３３と垂下板部３４が突出していることによって、いわゆる蟻返しが形成されているので、基礎Ｂの外側面を伝って上ってくる蟻等の虫が外装ビード４０の外気導入孔４３ａから外壁内部の通気空間Ａに侵入することを確実に防止できる。
【００６３】
なお、外装ビード４０の外装受け板部４１は、外装材としてのセメントモルタル３を支持するとともに、セメントモルタル３等の湿式の外装材の塗り付けの際の定規ともなる。また、外装ビード４０の背面板部４２の孔４２ａは、塗り付けられるセメントモルタル３がよく絡むようにするためのものである。
【００６４】
また、ここでは、基礎Ｂの上面に基礎パッキンＫ，Ｋ，…が並べられていないが、図２や図５で示した通気水切構造と同様に、基礎Ｂの上面に基礎パッキンＫ，Ｋ，…を並べることにより、基礎Ｂと土台Ｄと基礎パッキンＫ，Ｋで囲まれた空間を形成し、さらに、通気水切材３０の防水裏挿入部３１の下部に、図示しない外気導入孔を穿設形成すれば、この外気導入孔と外装ビード４０の外気導入孔４３ａを経由して床下空間Ｙの換気を行うことができる。
【００６５】
続いて、本発明に係る通気水切構造の第五実施形態を説明する。図８（ａ）は本発明に係る通気水切構造の第五実施形態を表す断面図であり、図８（ｂ）は図８（ａ）の部分拡大図である。これらの図に示す通気水切構造は、多数の突起２ｄ，２ｄ，…を点在形成してなる凹凸面２ｅを室内側に備える防水面材２が外壁下張材１の屋外側に留め付けられた外装構造（図１２参照）に、通気水切材と外装ビードを装着して構成されているという点において図６に示した通気水切構造と共通するが、通気水切材の装着部位が土台Ｄの外側ではなく、下屋とその上階の外壁によって形成される入隅部である点において異なっている。また、この通気水切構造の通気水切材３０’は、図７（ｂ）に示した通気水切材３０と比べると、支持板部３２がない点と、垂下板部３４の先端辺から下屋の屋根の上面に沿う屋根押さえ部３５がある点において異なっている。
【００６６】
このような通気水切構造によっても、図８（ｂ）に示すように、外装ビード４０の位置決め部４３の外気導入孔４３ａから、防水面材２の突起２ｄ，２ｄ，…間の空隙によって通気水切材３０’の防水裏挿入部３１の外側又は外壁下張材１の屋外側に形成されている通気空間Ａに外気が導入され、外壁の内部結露が確実に防止される。
【００６７】
なお、この通気水切構造は、この他にも、バルコニー床と外壁とで形成される入隅部に通気水切材と外装ビードを装着する場合に準用可能である。もちろん、その場合には、通気水切材の形状を適宜変更する。
【００６８】
次に、本発明に係る通気水切構造の第六実施形態を説明する。図９（ａ）は本発明に係る通気水切構造の第六実施形態を表す断面図であり、図９（ｂ）は図９（ａ）の部分拡大図である。これらの図に示す通気水切構造は、多数の突起２ｄ，２ｄ，…を点在形成してなる凹凸面２ｅを室内側に備える防水面材（第一の防水面材）２が外壁下張材１の屋外側に留め付けられた外装構造（図１２参照）に、図７（ｂ）に示した通気水切材３０と図１０に示す防鼠材５０を装着してなるものである。
なお、符号２’は第二の防水面材を示す。この第二の防水面材２’は、防水面材２と同様の構造であり、その高さは通気水切材３０の防水裏挿入部３１の高さよりも大きい程度で充分である。
【００６９】
ここで、防鼠材５０は、図１０に示すように、基礎Ｂの上面に密着配置される支持板部５１と、この支持板部５１の後端辺から鉛直に立ち上がる立上板部５２とで構成されている。立上板部５２の高さ方向略中間位置からは、突起５３が外側にわずかに突出している。また、支持板部５１と突起５３との間の立上板部５２には、複数個の外気導入孔５２ａ，５２ａ，…が穿設形成されている。この外気導入孔５２ａ，５２ａ，…は、床下空間Ｙにネズミ等の小動物が侵入しないような大きさとなっている。
【００７０】
そして、図９に示すように、防鼠材５０は、立上板部５２が基礎パッキンＫ，Ｋ，…の屋外側で立設するように配置固定されている。また、第二の防水面材２’は、土台Ｄの外側の外壁下張材１の屋外側面に留付手段によって留め付けられており、ここではその下辺が防鼠材５０の立上板部５２の外側に重ねられている。また、通気水切材３０は、その防水裏挿入部３１が第二の防水面材２’の屋外側面に密着するように配置されている。そして、第一の防水面材２は、その下辺部が通気水切材３０の防水裏挿入部３１の外側面に沿うように配置されている。
【００７１】
このような通気水切構造によれば、第二の防水面材２’の突起２ｄ，２ｄ，…間の空隙によって外壁下張材１の屋外側に形成された通気空間Ａに取り入れられた外気が、その上方において第一の防水面材２の突起２ｄ，２ｄ，…間の空隙によって外壁下張材１の屋外側に形成されている通気空間Ａに導入され、外壁の内部結露が防止される。
また、セメントモルタル３の表面を流下した雨水は通気水切材３０の水切板部３３及び垂下板部３４の外側面を伝って下方に滴下するので、基礎Ｂの外側面を濡らすことがない。
【００７２】
さらに、基礎Ｂの上面に基礎パッキンＫ，Ｋ，…が並べられ、基礎Ｂと土台Ｄと基礎パッキンＫ，Ｋで囲まれた空間が防鼠材５０の立上板部５２の外気導入孔５２ａと連通しているので、床下空間Ｙへのネズミ等の小動物の侵入を阻止しつつ、外気導入孔５２ａを経由して床下空間Ｙの換気を行うことができる。
【００７３】
なお、このような通気水切構造において防鼠材５０をなくせば、図８に示したような下屋とその上階の外壁によって形成される入隅部や、バルコニー床と外壁とで形成される入隅部にも準用可能である。
また、外装材が湿式のものに限定されるわけではなく、サイディング等の乾式のものでもよいことは、言うまでもない。
【００７４】
【発明の効果】
以上のように、本発明に係る通気水切材ないし通気水切構造によれば、特に、多数の突起を点在形成してなる凹凸面を室内側に備える防水面材が外壁下張材の屋外側に留め付けられた外装構造においても、防水面材の突起間空隙によって外壁下張材の屋外側に形成された通気空間に確実に外気を導入し、外壁の内部結露を防止することができる。そして、このとき外装材表面を伝わってくる雨水等の水切を行ったり、基礎パッキンによって基礎と土台との間に形成された隙間を通して床下空間の換気を行うことも可能である。
また、本発明に係る通気水切材は、一枚の板を折り曲げ形成することによって、低コストで製造可能である。
【図面の簡単な説明】
【図１】本発明に係る通気水切材の第一実施形態を表す斜視図である。
【図２】（ａ）は本発明に係る通気水切構造の第一実施形態を表す断面図であり、（ｂ）は（ａ）の部分拡大図である。
【図３】（ａ）は本発明に係る通気水切構造の第二実施形態を表す断面図であり、（ｂ）は（ａ）の部分拡大図である。
【図４】本発明に係る通気水切材の第二実施形態を表す斜視図である。
【図５】（ａ）は本発明に係る通気水切構造の第三実施形態を表す断面図であり、（ｂ）は（ａ）の部分拡大図である。
【図６】（ａ）は本発明に係る通気水切構造の第四実施形態を表す断面図であり、（ｂ）は（ａ）の部分拡大図である。
【図７】（ａ）は図６の通気水切構造における通気水切材の斜視図であり、（ｂ）は同下端ビードの斜視図である。
【図８】（ａ）は本発明に係る通気水切構造の第五実施形態を表す断面図であり、（ｂ）は（ａ）の部分拡大図である。
【図９】（ａ）は本発明に係る通気水切構造の第六実施形態を表す断面図であり、（ｂ）は（ａ）の部分拡大図である。
【図１０】図９の通気水切構造における防鼠材の斜視図である。
【図１１】従来の通気水切構造の断面図である。
【図１２】従来の外装構造の断面斜視図である。
【図１３】図１２の外装構造における防水面材の断面斜視図である。
【符号の説明】
１　　…　外壁下張材
２，２’　　…　防水面材
２ｄ　…　突起
２ｅ　…　凹凸面
３　　…　セメントモルタル
３’　…　サイディング
４　　…　縦胴縁
５　　…　防水紙
１０　　…　通気水切材
１１　　…　防水裏挿入部
１１ａ　…　第二外気導入孔
１２　　…　支持板部
１３　　…　水切板部
１４　　…　垂下板部
１４ａ　…　折り返し部
１５　　…　斜め板部
１５ａ　…　第一外気導入孔
１６　　…　外装受け板部
１７　　…　隙間
２０　　…　通気水切材
２１　　…　防水裏挿入部
２１ａ　…　隙間
２１ｂ　…　折り返し部
２１ｃ　…　第二外気導入孔
２２　　…　支持板部
２３　　…　水切板部
２４　　…　垂下板部
２５　　…　外装受け板部
２５ａ　…　第一外気導入孔
２６　　…　立上板部
２６ａ　…　第三外気導入孔
３０　　…　通気水切材
３１　　…　防水裏挿入部
３２　　…　支持板部
３３　　…　水切板部
３４　　…　垂下板部
３５　　…　屋根押さえ部
４０　　…　外装ビード
４１　　…　外装受け板部
４２　　…　背面板部
４２ａ　…　孔
４３　　…　位置決め部
４３ａ　…　外気導入孔
５０　　…　防鼠材
５１　　…　支持板部
５２　　…　立上板部
５２ａ　…　外気導入孔
５３　　…　突起
６０　　…　通気水切材
６１　　…　上方片
６２　　…　下方片
６３　　…　上方通気孔
６４　　…　側方片
６５　　…　側方通気孔
６６　　…　水切片
Ａ　　…　通気空間
Ｂ　　…　基礎
Ｄ　　…　土台
Ｆ　　…　一階床板
Ｋ　　…　基礎パッキン
Ｓ　　…　一階壁下枠
Ｙ　　…　床下空間
【図１】
2004044230.tif 000003
【図２】
2004044230.tif 000004
【図３】
2004044230.tif 000005
【図４】
2004044230.tif 000006
【図５】
2004044230.tif 000007
【図６】
2004044230.tif 000008
【図７】
2004044230.tif 000009
【図８】
2004044230.tif 000010
【図９】
2004044230.tif 000011
【図１０】
2004044230.tif 000012
【図１１】
2004044230.tif 000013
【図１２】
2004044230.tif 000014
【図１３】
2004044230.tif 000015